(57)【要約】【課題】一方から他方の回線への切換えにおいて、他方の回線に確実に電源があることを確認し、切換えを実行する無停電ループ切換装置を提供する。【解決手段】一方の回線の本線から他方の回線の予備線に電源を切換える無停電ループ切換装置において、これらの回線の電源側に電流の向きを検出する電流検出器１、５を接続し、第２の受電遮断器６を投入し、他方の回線の電流検出器５で検出した電流の向きが電源側から負荷側の順方向のとき、第１の受電遮断器２を開放し、一方の回線から他方の回線へ電源切換えを実行することを特徴とする。【選択図】  図１
2013017260.tif 000002
【特許請求の範囲】
【請求項１】
一方の回線から他方の回線に電源を切換える無停電ループ切換装置において、
これらの回線の電源側に電流の向きを検出する電流検出器を接続し、
この電流検出器で検出した前記他方の回線の電流の向きが電源側から負荷側の順方向のとき、
前記一方の回線から前記他方の回線へ電源切換えを実行することを特徴とする無停電ループ切換装置。
【請求項２】
前記一方の回線と前記他方の回線の電源側に電圧変動を検出する電圧検出器を接続し、
この電圧検出器で検出した前記他方の回線の電圧変動が所定幅のとき、
電源切換えを実行することを特徴とする請求項１に記載の無停電ループ切換装置。
【請求項３】
前記一方の回線と前記他方の回線の電源側に位相を検出する位相検出器を接続し、
この位相検出器で検出した前記一方の回線と前記他方の回線との位相差が所定以内のとき、
電源切換えを実行することを特徴とする請求項１または請求項２に記載の無停電ループ切換装置。
【発明の詳細な説明】
【技術分野】
【０００１】
本発明の実施形態は、一方の回線から他方の回線に無停電で電源を切換える無停電ループ切換装置に関する。
【背景技術】
【０００２】
従来、二回線受電設備において、保守点検、電力融通などにより本線から予備線に電源を切換える場合、無停電での切換えが行われている（例えば、特許文献１参照。）。
【０００３】
本線から予備線に切換える場合、先ず、両回線に電圧が有って、故障が無いことを表示器などで目視確認し、次に、両回線の遮断器が同時に投入されることを防止するインターロックの解除を行う。そして、予備線の遮断器を投入して両回線を受電状態にし、その後、本線の遮断器を開放することで、無停電でのループ切換えが完了する。
【０００４】
ここで、両回線に電圧有りを確認し、予備線の遮断器を投入後、予備線が雷害などの事故で電源が失われることが希にある。しかしながら、予備線側では、本線側から電源が廻り込んで供給され、電圧有りの表示をする。このため、本線の遮断器を開放すると、変電所内が全停電となってしまう。
【先行技術文献】
【特許文献】
【０００５】
【特許文献１】特開２００7−２２１９３２号公報
【発明の概要】
【発明が解決しようとする課題】
【０００６】
本発明が解決しようとする課題は、本線から予備線へのループ切換えにおいて、予備線の電源が失われたとき、ループ切換えを中断し、変電所内の全停電の防止を図り得る無停電ループ切換装置を提供することにある。
【課題を解決するための手段】
【０００７】
上記課題を解決するために、実施形態の無停電ループ切換装置は、一方の回線から他方の回線に電源を切換える無停電ループ切換装置において、これらの回線の電源側に電流の向きを検出する電流検出器を接続し、この電流検出器で検出した前記他方の回線の電流の向きが電源側から負荷側の順方向のとき、前記一方の回線から前記他方の回線へ電源切換えを実行することを特徴とする。
【図面の簡単な説明】
【０００８】
【図１】本発明の実施例１、２に係る無停電ループ切換装置の回路構成を示す図。
【図２】本発明の実施例１に係る無停電ループ切換装置の切換手順を説明するフロー図。
【図３】本発明の実施例２に係る無停電ループ切換装置の切換手順を説明するフロー図。
【発明を実施するための形態】
【０００９】
以下、図面を参照して本発明の実施例を説明する。
【実施例１】
【００１０】
先ず、本発明の実施例１に係る無停電ループ切換装置を図１、図２を参照して説明する。図１は、本発明の実施例１、２に係る無停電ループ切換装置の回路構成を示す図、図２は、本発明の実施例１に係る無停電ループ切換装置の切換手順を説明するフロー図である。
【００１１】
図１に示すように、本線側には、電源側の受電点に電流の方向を検出する第１の電流検出器１が接続されている。二次側には、第１の受電遮断器２、第１の主変二次遮断器３、第１の主変圧器４が直列に接続され、負荷に接続されている。予備線側にも、本線側と同様に、受電点に電流の方向を検出する第２の電流検出器５が接続されている。二次側には、第２の受電遮断器６、第２の主変二次遮断器７、第２の主変圧器８が直列に接続され、負荷に接続されている。第１の受電遮断器２の二次側と第２の受電遮断器６の二次側は、共通導体９で接続されている。
【００１２】
次に、第１の受電遮断器２、第１の主変二次遮断器３、第２の主変二次遮断器７が投入、第２の受電遮断器６が開放され、本線側から電源が供給されている状態において、予備線に切換える場合を図２を参照して説明する。
【００１３】
図２に示すように、先ず、本線と予備線に電圧が有って（ｓｔ１）、故障が無いことを表示器などで目視確認する（ｓｔ２）。次に、第１、第２の受電遮断器２、６が同時に投入されることを防止するインターロックの解除を行う（ｓｔ３）。そして、第２の受電遮断器６を投入し（ｓｔ４）、本線と予備線を受電状態にする。ここまでのステップは、従来と同様である。
【００１４】
予備線が受電されると、第２の電流検出器５で電流の向きを検出する（ｓｔ５）。電流の向きが電源側から負荷側に流れる順方向であれば、第１の受電遮断器２を開放し（ｓｔ６）、ループ切換えを完了する。電流の向きが共通導体９から電源側に流れる逆方向であれば、第１の受電遮断器２の開放操作をロックする。そして、第２の受電遮断器６を切換え前の開放に戻し、ループ切換えを中断する。なお、予備線では、電源喪失の原因調査が行われる。
【００１５】
これにより、本線と予備線の電圧有りを確認した後、予備線が突然停電となったとき、停電した予備線への切換えを防止することができる。また、予備線の電圧有りの確認を見落としても、停電となった予備線への切換えを防ぐことができる。
【００１６】
上記実施例１の無停電ループ切換装置によれば、本線から予備線に電源を切換えるとき、第２の受電遮断器６を投入後、第２の電流検出器５で予備線の電流の向きを検出し、順方向で電源有りを確認後、第１の受電遮断器２を開放するようにしているので、変電所内の全停電を防止することができる。
【００１７】
上記実施例１では、ループ切換えを本線から予備線で説明したが、予備線から本線への切換えでは、本線に接続されている第１の電流検出器１で電流の向きを検出するものとする。
【実施例２】
【００１８】
次に、本発明の実施例２に係る無停電ループ切換装置を再び図１、図３を参照して説明する。図３は、本発明の実施例２に係る無停電ループ切換装置の切換手順を説明するフロー図である。なお、この実施例２が実施例１と異なる点は、予備線に電圧検出器を追加したことである。図３において、実施例１と同様の構成部分においては、同一符号を付し、その詳細な説明を省略する。
【００１９】
図１に示すように、本線の受電点には、電圧を検出する第１の電圧検出器１０を接続している。予備線の受電点にも、本線と同様に、電圧を検出する第２の電圧検出器１１を接続している。
【００２０】
次に、本線から予備線への切換えにおいては、図３に示すように、本線と予備線に電圧が有って（ｓｔ１）、故障が無いことを表示器などで目視確認した後（ｓｔ２）、予備線の電圧を第２の電圧検出器１１で確認する（ｓｔ７）。この場合、電圧変動幅は、例えば９８〜１０２％の所定幅とし、この範囲内ならインターロックの解除を行う（ｓｔ３）。電圧変動幅が範囲外ならば、インターロックの解除を中止し、ループ切換えを中断する。なお、予備線では、電圧変動が大きくなった原因調査が行われる。
【００２１】
上記実施例２の無停電ループ切換装置によれば、実施例１による効果のほかに、切換えた電源の電圧変動が少なく、信頼性が向上する。
【００２２】
上記実施例２では、ループ切換えを本線から予備線で説明したが、予備線から本線への切換えでは、本線に接続されている第１の電圧検出器１０で電圧変動を検出するものとする。
【００２３】
また、受電点に位相を検出する位相検出器を接続し、本線側と予備線側の位相差が数％以内の所定のとき、ループ切換えを実行するようにすることができる。更に、相回転を検出する相回転検出器を接続し、本線側と予備線側の相回転が同一のとき、ループ切換えを実行するようにすることができる。
【００２４】
以上述べたような実施形態によれば、一方の回線から他方の回線に、電源を確実に切換えることができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１  第１の電流検出器
２  第１の受電遮断器
３  第１の主変二次遮断器
４  第１の主変圧器
５  第２の電流検出器
６  第２の受電遮断器
７  第２の主変二次遮断器
８  第２の主変圧器
９  共通導体
１０  第１の電圧検出器
１１  第２の電圧検出器
【図１】
2013017260.tif 000003
【図２】
2013017260.tif 000004
【図３】
2013017260.tif 000005